(57)【特許請求の範囲】
【請求項１】
音声アイコン及びユーザによって指定された１つ又は複数の車載アプリのアイコンが表示される車載アプリＵＩをユーザに提供するステップと、
ユーザインタラクションを立ち上げ、ユーザが入力した音声情報を受信するステップと、
前記音声情報について音声認識を行い、前記ユーザの音声指令を取得するステップと、
前記音声指令に基づき前記車載アプリを操作するステップとを含み、
前記音声アイコンはスクリーンの中心位置に配置され、前記音声アイコンのサイズは前記１つ又は複数の車載アプリの各アイコンのサイズよりも大きく、
音声インタラクション・プロセスが未開始又はアイドルである場合、音声アイコンは静止マイクロホンであり、ユーザの音声が入力されると、マイクロホンアイコンは音量の大きさに応じてその背景色を自動的に調整し、さらにボタンの周囲に音量の大きさにつれて変化する音波パターンが表示される、携帯端末による車載アプリ制御方法。
【請求項２】
前記ユーザインタラクションを立ち上げ、ユーザが入力した音声情報を受信するステップは、
前記音声アイコンがユーザにクリックされると、タッチ指令を生成するステップと、
前記タッチ指令に基づきユーザインタラクションを立ち上げ、ユーザが入力した音声情報を受信するステップと、を含む請求項１に記載の車載アプリ制御方法。
【請求項３】
ユーザインタラクションを立ち上げ、ユーザが入力した音声情報を受信するステップは、
ウェアラブル装置によってユーザインタラクションを立ち上げ、該ウェアラブル装置によって、ユーザが入力した音声情報を受信するステップを含む請求項１に記載の車載アプリ制御方法。
【請求項４】
前記車載アプリＵＩは、少なくとも１つの拒否アプリを含み、
ユーザによって指定された１つ又は複数の車載アプリのアイコンが表示される車載アプリＵＩをユーザに提供するステップは、
前記携帯端末の現在の拒否状態を取得し、取得結果を得るステップと、
前記取得結果によれば前記携帯端末の拒否機能がオンされていると、前記車載アプリＵＩにおいて拒否アプリに対応した第３アイコンを表示させるステップと、
前記取得結果によれば前記携帯端末の拒否機能がオフされていると、前記車載アプリＵＩにおいて拒否アプリに対応した第４アイコンを表示させるステップと、を含む請求項１に記載の車載アプリ制御方法。
【請求項５】
前記車載アプリＵＩは、音声認識によって得られた音声指令、及び／又はメッセージ時間情報、及び／又はユーザの運転情報を表示するための第１領域をさらに含む請求項１に記載の車載アプリ制御方法。
【請求項６】
音声アイコン及びユーザによって指定された１つ又は複数の車載アプリのアイコンが表示される車載アプリＵＩをユーザに提供する提供モジュールと、
ユーザインタラクションを立ち上げ、ユーザが入力した音声情報を受信する受信モジュールと、
前記音声情報について音声認識を行い、前記ユーザの音声指令を取得する認識モジュールと、
前記音声指令に基づき前記車載アプリを操作する処理モジュールとを備え、
前記音声アイコンはスクリーンの中心位置に配置され、前記音声アイコンのサイズは前記１つ又は複数の車載アプリの各アイコンのサイズよりも大きく、
音声インタラクション・プロセスが未開始又はアイドルである場合、音声アイコンは静止マイクロホンであり、ユーザの音声が入力されると、マイクロホンアイコンは音量の大きさに応じてその背景色を自動的に調整し、さらにボタンの周囲に音量の大きさにつれて変化する音波パターンが表示される、携帯端末による車載アプリ制御装置。
【請求項７】
前記受信モジュールは、
前記音声アイコンがユーザにクリックされると、タッチ指令を生成する検知サブモジュールと、
前記タッチ指令に基づきユーザインタラクションを立ち上げ、ユーザが入力した音声情報を受信する受信サブモジュールと、を備える請求項６に記載の車載アプリ制御装置。
【請求項８】
前記受信モジュールは、
ウェアラブル装置によってユーザインタラクションを立ち上げ、該ウェアラブル装置によって、ユーザが入力した音声情報を受信する無線インタラクション・サブモジュールを備える請求項６に記載の車載アプリ制御装置。
【請求項９】
請求項６−８のいずれか一項に記載の車載アプリ制御装置を備える携帯端末。
【発明の詳細な説明】
【技術分野】
【０００１】
本発明は、車載サービスの分野に関し、特に携帯端末による車載アプリ制御方法、装置及び携帯端末に関する。
【背景技術】
【０００２】
従来、市販の車載音声製品は、ほとんど特定の車両のためにカスタマイズされたものであり、コストが高く、機能が比較的に単一であるため、普及できない。従来の携帯端末、特にスマートフォンＯＳを実装した携帯端末は、一般的な運転者のコアなニーズ、例えば電話やナビゲーション等のニーズを満たすことができるとともに、日常生活に関連する機能をより多く提供できるため、生活の必需品となる傾向があり、そのサーキュレーションが運転者のみに適用するものである、カスタマイズされた車載音声製品より遥かに高い。
【０００３】
しかしながら、従来の携帯電話において、特定の運転シーンのために設定されたＯＳを備えていない。たとえば、運転中に運転者がナビゲーションしようとする際に、仕分け表示されたアプリＵＩにおいてカーナビアプリを調べる必要がある。インテリジェント端末のアプリが豊か過ぎて、運転者が調べながら運転もしているため、これは安全運転に影響する。
【発明の概要】
【発明が解決しようとする課題】
【０００４】
本発明が解決しようとする課題は、車載アプリを使用する際に、運転者が両手を操作から解放し、運転の安全性を向上させるための、携帯端末による車載アプリ制御方法、装置及び携帯端末を提供することである。
【課題を解決するための手段】
【０００５】
上記課題を解決するために、本発明の実施例は、ユーザによって指定された１つ又は複数の車載アプリのアイコンが表示される車載アプリＵＩをユーザに提供するステップと、ユーザインタラクションを立ち上げ、ユーザが入力した音声情報を受信するステップと、前記音声情報について音声認識を行い、前記ユーザの音声指令を取得するステップと、前記音声指令に基づき前記車載アプリを操作するステップと、を含む携帯端末による車載アプリ制御方法を提供する。
【０００６】
前記車載アプリＵＩは、さらに音声アイコンを含む。ユーザインタラクションを立ち上げ、ユーザが入力した音声情報を受信するステップは、前記音声アイコンがユーザにクリックされると、タッチ指令を生成するステップと、前記タッチ指令に基づきユーザインタラクションを立ち上げ、ユーザが入力した音声情報を受信するステップと、を含む。
【０００７】
前記ユーザインタラクションが立ち上げられていない場合、前記音声アイコンは、前記車載アプリＵＩにおいて「オンしていない」ことを表す第１アイコンに表示され、前記ユーザインタラクションが立ち上げられた場合、前記音声アイコンは、前記車載アプリＵＩにおいて「オンした」ことを表す第２アイコンに表示される。
【０００８】
ユーザインタラクションを立ち上げ、ユーザが入力した音声情報を受信するステップは、ウェアラブル装置によってユーザインタラクションを立ち上げ、該ウェアラブル装置によって、ユーザが入力した音声情報を受信するステップを含む。
【０００９】
前記表示ＵＩは、少なくとも１つの拒否アプリを含む。ユーザによって指定された１つ又は複数の車載アプリのアイコンが表示される車載アプリＵＩをユーザに提供するステップは、前記携帯端末の現在の拒否状態を取得し、取得結果を得るステップと、前記取得結果によれば前記携帯端末の拒否機能がオンされていると、前記車載アプリＵＩにおいて拒否アプリに対応した第３アイコンを表示させるステップと、前記取得結果によれば前記携帯端末の拒否機能がオフされていると、前記車載アプリＵＩにおいて拒否アプリに対応した第４アイコンを表示させるステップと、を含む。
【００１０】
前記車載アプリＵＩは、音声認識によって得られた音声指令、及び／又はメッセージ時間情報、及び／又はユーザの運転情報を表示するための第１領域をさらに備える。
【００１１】
また、本発明は、別の実施例において、ユーザによって指定された１つ又は複数の車載アプリのアイコンが表示される車載アプリＵＩをユーザに提供する提供モジュールと、ユーザインタラクションを立ち上げ、ユーザが入力した音声情報を受信する受信モジュールと、前記音声情報について音声認識を行い、前記ユーザの音声指令を取得する認識モジュールと、前記音声指令に基づき前記車載アプリを操作する処理モジュールと、を備える携帯端末による車載アプリ制御装置を提供する。
【００１２】
前記表示ＵＩは、さらに音声アイコンを含む。前記受信モジュールは、前記音声アイコンがユーザにクリックされると、タッチ指令を生成する検知サブモジュールと、前記タッチ指令に基づきユーザインタラクションを立ち上げ、ユーザが入力した音声情報を受信する受信サブモジュールと、を備える。
【００１３】
前記受信モジュールは、ウェアラブル装置によってユーザインタラクションを立ち上げ、該ウェアラブル装置によって、ユーザが入力した音声情報を受信する無線インタラクション・サブモジュールを備える。
【００１４】
また、本発明は、さらに別の実施例において、上記車載アプリ制御装置を備える携帯端末を提供する。
【発明の効果】
【００１５】
本発明の上記技術的な解決手段の有益な効果について、本発明の技術案によれば、携帯端末の車載アプリを１つのＵＩに一括表示する。ユーザは音声制御により、ＵＩにおける車載アプリを操作でき、それにより手を操作から効果的に解放し、運転の安全性を向上させ、よりフレンドリーな携帯端末によるサービスをユーザに提供する。
【図面の簡単な説明】
【００１６】
【図１】本発明に係る携帯端末による車載アプリ制御方法のフローチャート。
【図２】本発明に係る車載アプリＵＩのレイアウト模式図。
【図３】本発明に係る車載アプリＵＩのレイアウト模式図。
【図４】本発明に係る車載アプリＵＩのレイアウト模式図。
【図５】本発明に係る車載アプリＵＩのレイアウト模式図。
【図６】本発明に係る携帯端末による車載アプリ制御装置の構成模式図。
【発明を実施するための形態】
【００１７】
本発明が解決しようとする課題、技術案及び利点をより明確にするために、以下、図面及び具体的な実施例を参照しながら詳細な説明を行う。
【００１８】
本発明の実施例は、図１に示すように、
ユーザによって指定された１つ又は複数の車載アプリのアイコンが表示される車載アプリＵＩをユーザに提供するステップ１１と、
ユーザインタラクションを立ち上げ、ユーザが入力した音声情報を受信するステップ１２と、
前記音声情報について音声認識を行い、前記ユーザの音声指令を取得するステップ１３と、
前記音声指令に基づき前記車載アプリを操作する（ユーザによって車載アプリＵＩにおける車載アプリをタッチ操作してもよい）ステップ１４と、を含む携帯端末による車載アプリ制御方法を提供する。
【００１９】
上記説明したことから分かるように、本発明の車載アプリ制御方法は、携帯端末による車載アプリを１つのＵＩに一括表示する。ユーザは、音声制御により、ＵＩにおける車載アプリを操作でき、それにより手を操作から効果的に解放し、運転の安全性を向上させ、よりフレンドリーな携帯端末によるサービスをユーザに提供する。
【００２０】
また、本発明の車載サービス方法は、ユーザに２種類の音声入力方法を提供する。
【００２１】
１つの音声入力方法として、車載アプリＵＩにおいて音声アイコンを提供する。上記ステップ１２において、前記音声アイコンがユーザにクリックされると、タッチ指令を生成し、前記タッチ指令に基づきユーザインタラクションを立ち上げ、ユーザが入力した音声情報を受信する。より多くの情報を車載アプリＵＩからユーザに提供するために、前記ユーザインタラクションが立ち上げられていない場合、音声アイコンは、前記車載アプリＵＩにおいて「オンしていない」ことを表す第１アイコンに表示され、前記ユーザインタラクションが立ち上げられた場合、音声アイコンは、前記表示ＵＩにおいて「オンした」ことを表す第２アイコンに表示される。ユーザは、異なる音声アイコンによって携帯端末の動作状態を把握できる。
【００２２】
例えば、音声インタラクション・プロセスが未開始又はアイドルである場合、音声アイコンは静止マイクロホン（すなわち第１アイコン）であり、ユーザの音声が入力されると、マイクロホンアイコンは音量の大きさに応じてその背景色を自動的に調整し、さらにマイクロホン付近のボタン背景も音量の大きさに応じてその背景色を自動的に調整するとともに、ボタンの周囲に音量の大きさにつれて変化する音波パターン（すなわち第２アイコン）が表示され、音声認識を行う時、マイクロホンアイコンの背景色が変化せず、アイコンの背景色も回復し、音波パターンが消失するとともに、アイコンのフレームに暗くなる２本の線が表示されて、且つアイコンのフレーム軌跡に沿って時計回り又は反時計回りに回転する。
【００２３】
もう１つの音声入力方法として、上記ステップ１２では、ウェアラブル装置によってユーザインタラクションを立ち上げ、該ウェアラブル装置によって、ユーザが入力した音声情報を受信し、より簡単な操作方式をユーザに提供する。ウェアラブル装置として、スマートメガネ、スマートヘッドセット等が挙げられ、ブルートゥース（登録商標）によって携帯端末に音声情報を伝送できる。
【００２４】
また、前記表示ＵＩは、少なくとも１つの拒否アプリを含む。ユーザは拒否アプリのアイコンからより多くの情報を取得することができるようにするために、上記ステップ１１では、前記携帯端末の現在の拒否状態を取得し、取得結果を得、前記取得結果によれば前記携帯端末の拒否機能がオンされていると、前記車載アプリＵＩにおいて拒否アプリに対応した第３アイコンを表示させ、前記取得結果によれば前記携帯端末の拒否機能がオフされていると、前記車載アプリＵＩにおいて拒否アプリに対応した第４アイコンを表示させる。
【００２５】
また、本発明の車載サービス方法で提供される情報をさらに豊かにするために、好適な実施形態として、前記車載アプリＵＩにおいて、音声認識によって得られた音声指令、及び／又はメッセージ時間情報、及び／又はユーザの運転情報（例えば運転速度）を表示するための第１領域を設置する。
【００２６】
以下、本発明の車載アプリＵＩを説明する。
【００２７】
実施例１
図２は、音声アイコン１、及び拒否アプリ２、カーナビアプリ３、電話アプリ４、音楽アプリ５、天気アプリ６、ヘルプアプリ７、設定アプリ８のアイコンを含む車載アプリＵＩを示す。アイコンは角丸矩形である。音声アイコン１以外の車載アプリのアイコンは相互に置換可能である。音声アイコン１はスクリーンの中心位置に配置され、サイズが比較的大きく、運転手が簡単にクリックできる。拒否アプリ２のアイコンは１つのスイッチマークが表示され、拒否アプリのオン又はオフ状態を表示する。アイコンの形状は角丸矩形であり、周囲に機能説明又は指示用のテキスト情報（図示せず）が添付されてもよい。
【００２８】
実施例２
図３は、音声アイコン１、及び拒否アプリ２、カーナビアプリ３、電話アプリ４、音楽アプリ５、天気アプリ６、ヘルプアプリ７、設定アプリ８のアイコンを含む車載アプリＵＩを示す。アイコンは円形である。音声アイコン１以外の車載アプリのアイコンは相互に置換可能である。音声アイコン１はスクリーンの中心位置に配置され、サイズが比較的大きく、運転手が簡単にクリックできる。拒否アプリ２のアイコンは１つのスイッチマークが表示され、拒否アプリのオン又はオフ状態を表示する。アイコンの形状は角丸矩形であり、周囲に機能説明又は指示用のテキスト情報（図示せず）が添付されてもよい。
【００２９】
実施例３
図４は、第１領域９を含む車載アプリＵＩのレイアウト（第１領域において時間情報を表示させる）を示し、車載アプリＵＩはさらに音声アイコン１、カーナビアプリ３、電話アプリ４、ヘルプアプリ７、設定アプリ８のアイコンを含む。音声アイコン１以外の車載アプリのアイコンは相互に置換可能である。音声アイコン１はスクリーンの中心位置に配置され、サイズが比較的大きく、運転手が簡単にクリックできる。
【００３０】
実施例４
図５は、第１領域９を含む車載アプリＵＩのレイアウト（第１領域において認識した音声指令及び音声インタラクション・プロセスを表示させる）を示し、車載アプリＵＩはさらに音声アプリ１、カーナビアプリ３及び電話アプリ４のアイコンを含む。音声アプリのアイコン１以外、カーナビアプリ３と電話アプリ４のアイコンの位置は相互に置換可能である。音声アイコン１はスクリーンの中心線位置に配置され、サイズが比較的大きく、運転手が簡単にクリックできる。
【００３１】
以上のように、本発明の車載アプリＵＩは非常にシンプルであり、インタラクション及び機能の実用性を有し、運転シーンに非常に適し、あらゆる携帯端末に適用できる。
【００３２】
また、図６に示すように、本発明は、
ユーザによって指定された１つ又は複数の車載アプリのアイコンが表示される車載アプリＵＩをユーザに提供する提供モジュールと、
ユーザインタラクションを立ち上げ、ユーザが入力した音声情報を受信する受信モジュールと、
前記音声情報について音声認識を行い、前記ユーザの音声指令を取得する認識モジュールと、
前記音声指令に基づき前記車載アプリを操作する処理モジュールと、を備える携帯端末による車載アプリ制御装置をさらに提供する。
【００３３】
上記説明したことから分かるように、本発明の車載アプリ装置は、携帯端末による車載アプリを１つのＵＩに一括表示する。ユーザは、音声制御により、ＵＩにおける車載アプリを操作でき、それにより手を操作から効果的に解放し、運転の安全性を向上させ、よりフレンドリーな携帯端末によるサービスをユーザに提供する。
【００３４】
また、本発明の車載サービス装置は、ユーザに２種類の音声入力方法を提供する。
【００３５】
１つの音声入力方式として、車載アプリＵＩにおいて音声アイコンを提供する。前記受信モジュールは、前記音声アイコンがユーザにクリックされると、タッチ指令を生成する検知サブモジュールと、前記タッチ指令に基づきユーザインタラクションを立ち上げ、ユーザが入力した音声情報を受信する受信サブモジュールと、を備える。
【００３６】
もう１つの音声入力方式として、前記受信モジュールは、ウェアラブル装置によってユーザインタラクションを立ち上げ、該ウェアラブル装置によって、ユーザが入力した音声情報を受信する無線インタラクション・サブモジュールを備え、より簡単な操作方式をユーザに提供できる。
【００３７】
本実施例の車載アプリ制御装置は、本発明の車載アプリ制御方法に対応し、該方法の技術的効果と同様の効果を達成できるとは言うまでもない。
【００３８】
また、本発明は、上記車載アプリ制御装置を備える携帯端末をさらに提供する。携帯端末は、携帯電話、ＰＡＤ等の装置であってもよい。提供モジュールは、携帯端末のディスプレイスクリーン及びディスプレイスクリーンを制御する処理チップであってもよい。受信モジュールは、ユーザの音声情報を直接受信する携帯端末のマイクロホンを含んでもよく、受信モジュールは、ユーザのウェアラブル装置が送信する音声情報を受信するための無線通信受信機をさらに備えてもよい。認識モジュールは携帯端末の音声認識チップ、処理モジュールは携帯端末のプロセッサであってもよい。
【００３９】
以上、本発明の好ましい実施の形態を説明したが、当業者は、本発明の前記原理を逸脱せずに、様々な改良や修飾を行うことができ、これらの改良や修飾も本発明の保護範囲に属する。
【産業上の利用可能性】
【００４０】
上記のように、上記実施例及び好ましい実施形態によれば、携帯端末による車載アプリを１つのＵＩに一括表示する。ユーザは、音声制御により、ＵＩにおける車載アプリを操作でき、それにより手を操作から効果的に解放し、運転の安全性を向上させ、よりフレンドリーな携帯端末によるサービスをユーザに提供する。
【図１】
0006561075.tif 000002
【図２】
0006561075.tif 000003
【図３】
0006561075.tif 000004
【図４】
0006561075.tif 000005
【図５】
0006561075.tif 000006
【図６】
0006561075.tif 000007